(57)【要約】【課題】検索結果として検索キーを含むデータが複数検索された場合、検索キーを除く部分で同一のデータに共通の表示名称を付与し、表示するデータ検索表示装置を提供する。【解決手段】検索キーを入力する操作部１０３と、入力した検索キーを含む名称とその名称に関係する関係情報を含むデータを検索する検索処理部１０９と、検索された関係情報において同一のものがあったとき、それらのデータに対応する名称に共通の表示名称を付与し、異なるものにはそれぞれの異なる表示名称を付与する統合部１１１と、統合部１１１によって付与された表示名称をそれぞれ検索結果として表示する表示部１０５とを備える。これにより、検索キーを含む名称を多数検索した場合でも、関係情報が同一の場合、これらに共通の表示名称を付与して表示するため、検索結果として一覧表示されるリストの数を減らすことができ、リストの中からそれを選択する負担を少なくする。【選択図】図１
2005190334.tif 000002
【特許請求の範囲】
【請求項１】
検索キーを入力する入力手段と、入力した検索キーを含む第１の情報と、前記第１の情報に関係する第２の情報を含むデータを検索する検索手段と、検索された前記第２の情報において同一のものがあった場合、前記同一のものに対応する第１の情報に共通の表示情報を付与し、異なるものにはそれぞれの異なる表示情報を付与する統合手段と、前記統合手段によって付与された表示情報をそれぞれ１つづつ検索結果として表示する表示手段と、を備えたデータ検索表示装置。
【請求項２】
前記検索キーが目的物の名称であって、前記第２の情報が前記検索キーに対応する住所であることを特徴とする請求項１記載のデータ検索表示装置。
【請求項３】
前記住所が、都道府県名、市区町村名、大字、小字、丁目、番地の階層構造をなすデータで構成され、前記統合手段が、これらの階層の全てにおいて一致する目的物に対し、共通の表示名称を付与することを特徴とする請求項２記載のデータ検索表示装置。
【請求項４】
前記検索キーが目的物の名称であって、前記第２の情報が前記検索キーに対応する位置を表す地図情報であることを特徴とする請求項１記載のデータ検索表示装置。
【請求項５】
検索キーを入力する入力手段と、目的物の名称、住所、地図上の位置情報をそれぞれ対応づけて記憶しているデータベースと、前記入力手段によって入力された検索キーを基に前記データベースより前記検索キーを含む情報を検索する検索手段と、検索された結果を記憶する記憶手段と、記憶手段に記憶された検索結果から住所が一致し、かつ、目的物の名称が部分一致する目的物候補に対して共通の表示名称を付与し、そうでないものにそれぞれ異なる表示名称を付与する統合手段と、前記統合手段によって付与された表示名称と前記記憶手段に記憶された検索結果とをそれぞれ対応付けて表示する表示手段とを備えたデータ検索表示装置。
【請求項６】
前記統合手段が、前記記憶手段に記憶された検索結果から、住所が一致し、目的物の名称が部分一致し、かつ、目的物の地図上の位置情報が一致するものに、共通の表示名称を付与し、そうでないものにそれぞれ異なる表示名称を付与することを特徴とする請求項５記載のデータ検索表示装置。
【請求項７】
前記統合手段が、前記記憶手段に記憶された検索結果から、住所が一致し、目的物の名称が部分一致し、かつ、目的物の地図上の位置情報が予め定めた一定範囲内にあるものに、共通の表示名称を付与し、そうでないものにそれぞれ異なる表示名称を付与することを特徴とする請求項５記載のデータ検索表示装置。
【請求項８】
目的物の住所が、都道府県名、市区町村名、大字、小字、丁目、番地の階層構造をなすデータで構成され、前記統合手段が、これらの階層の全てにおいて一致する場合に共通の表示名称を付与することを特徴とする請求項５乃至請求項７のいずれかに記載のデータ検索表示装置。
【発明の詳細な説明】
【技術分野】
【０００１】
本発明は、各種情報を検索し、表示するデータ検索表示装置に関する。
【背景技術】
【０００２】
従来、各種情報を検索し、表示するデータ検索表示装置として、目的物の住所や地図情報などを目的物の名称から検索し、表示するナビゲーション装置がよく知られている（例えば、特許文献１参照）。
【０００３】
このデータ検索表示装置は、目的物の名称によって区別される複数の親データと、各親データに対応した複数の子データとを記憶した記憶手段と、少なくとも親データの名称の一部を指定する親データ指定手段と、親データ指定手段により指定された名称に対応する親データを記憶手段から検索する第一の検索手段と、第一の検索手段が同一名称の親データを複数個検索した場合、当該親データの個数を算出する算出手段と、第一の検索手段が検索した親データと算出手段が算出した親データの個数とをそれぞれ表示する表示手段と、子データの属性を指定する子データ指定手段と、子データ指定手段によって指定された属性に対応する子データを第一の検索手段によって検索された親データの中から検索する第二の検索手段で構成されている。
【０００４】
さらに、親データ指定手段によって指定された親データと同一名称の親データが記憶手段に複数個記憶されている場合には、第一の検索手段は当該同一名称の親データを複数個検索し、算出手段は当該親データの個数を算出し、表示手段は当該親データとその個数とを表示するように構成されている。そのため、同一名称の親データが複数存在している場合には、当該親データの数が表示手段に表示され、同一名称の親データが何件あるのかを知ることが出来る。
【０００５】
そして、第二の検索手段は、子データ指定手段によって指定された属性に対応する子データを、前記同一名称の各親データに対応して記憶された複数の子データの中から検索し、表示手段は当該子データをその親データが複数存在している場合、それら親データにおける複数の子データの中から、同一の属性の子データを表示手段で一覧表示することから、その表示された子データにより、同一名称の親データを区別することが可能となり、その結果、同一名称の親データを区別して、同一名称の親データの中から所望の親データを簡単かつ容易に検索することができるという作用を有する。
【特許文献１】特開平１１−８５７７８号公報（第１頁、第１図）
【発明の開示】
【発明が解決しようとする課題】
【０００６】
しかしながら、従来のデータ検索表示装置においては、ユーザが検索キーとして、施設名称として例えば、「○○」という名称を入力したとき、その「○○」という名称およびその「○○」という名称を含む名称が、データベースから検索され、その結果が全て表示装置に一覧表示される。そのため、同一名称（部分一致を含む）で、かつ、同一住所の施設が複数存在する場合でも、地図上では同一地点であるにもかかわらず、これらの施設が個々に一覧表示されるため、一覧表示された多数の名称の中からユーザが所望の施設を見つけ出し、選択する必要があり、その選択が非常に面倒であるという問題があった。
【０００７】
本発明は、このような従来の問題に鑑みてなされたものであり、検索結果として検索キーを含む情報が複数検索された場合でも、これらの施設が表示された中からユーザが所望の施設を見つけ出し、選択するのが面倒でないデータ検索表示装置を提供することを目的
とするものである。
【課題を解決するための手段】
【０００８】
本発明のデータ検索表示装置は、検索キーを入力する入力手段と、入力した検索キーを含む第１の情報と、その第１の情報に関係する第２の情報を含むデータを検索する検索手段と、検索された第２の情報において同一のものがあった場合、それらの同一のものに対応する第１の情報に共通の表示情報を付与し、異なるものにはそれぞれの異なる表示情報を付与する統合手段と、前記統合手段によって付与された表示情報をそれぞれ１つづつ検索結果として表示する表示手段とを備えた構成を有する。
【０００９】
この構成により、入力した検索キーを含む第１の情報が多数検索された場合でも、第２の情報に同一のものがある場合、これらに共通の表示情報が付与され、それが表示部に表示されるため、検索結果として一覧表示されるリストの数を減らすことができ、リストの中からそれを選択する場合、その負担を少なくすることができるという効果を有する。
【００１０】
また、本発明のデータ検索表示装置は、検索キーが目的物の名称であって、第２の情報が検索キーに対応する住所である構成を有する。この構成により、施設やジャンル、建物、郵便番号、電話番号その他の目的物において、その名称が多少異なっていても、検索キーが共通で検索された場合には、住所が同一であれば、それらが共通の表示名称で表示されるため、これらを容易に選択することができる。
【００１１】
また、本発明のデータ検索表示装置は、住所が、都道府県名、市区町村名、大字、小字、丁目、番地の階層構造をなすデータで構成され、統合手段が、これらの階層の全てにおいて一致する目的物に対し、共通の表示名称を付与する構成を有する。この構成により、統合手段が、都道府県名、市区町村名、大字、小字、丁目、番地の各階層、全てにおいて一致する目的物に対し、共通の表示名称を付与することになり、所謂、住所が同一であれば、共通の表示名称で表示されるという作用を有する。
【００１２】
また、本発明のデータ検索表示装置は、検索キーが目的物の名称であって、第２の情報が検索キーに対応する位置を表す地図情報である構成を有する。この構成により、検索キーに対応する位置を表す地図情報が同一であれば、それらに共通の表示名称が付与されることになり、容易にそれを選択できるという作用を有する。
【００１３】
また、本発明のデータ検索表示装置は、検索キーを入力する入力手段と、目的物の名称、住所、地図上の位置情報をそれぞれ対応づけて記憶しているデータベースと、入力手段によって入力された検索キーを基にデータベースより検索キーを含む情報を検索する検索手段と、検索された結果を記憶する記憶手段と、記憶手段に記憶された検索結果から住所が一致し、かつ、目的物の名称が部分一致する目的物候補に対して共通の表示名称を付与し、そうでないものにそれぞれ異なる表示名称を付与する統合手段と、統合手段によって付与された表示名称と記憶手段に記憶された検索結果とをそれぞれ対応付けて表示する表示手段とを備えた構成を有する。
【００１４】
この構成により、目的物の名称が部分一致する目的物候補が多数検索された場合でも、住所が一致し場合、共通の表示名称を付与し、そうでないものは別の表示名称を付与するため、これらの表示名称で目的の物を容易に指定、選択することができるという作用を有する。
【００１５】
また、本発明のデータ検索表示装置は、統合手段が、記憶手段に記憶された検索結果から、住所が一致し、目的物の名称が部分一致し、かつ、目的物の地図上の位置情報が一致するものに、共通の表示名称を付与し、そうでないものにそれぞれ異なる表示名称を付与
する構成を有する。この構成により、目的物の名称が部分一致した場合、住所及び地図上の位置情報が一致したときに共通の表示名称が付与されることになり、住所だけでは区別できない目的物でも正確に区別して共通の表示名称を付与するという作用を有する。
【００１６】
また、本発明のデータ検索表示装置は、統合手段が、記憶手段に記憶された検索結果から、住所が一致し、目的物の名称が部分一致し、かつ、目的物の地図上の位置情報が予め定めた一定範囲内にあるものに、共通の表示名称を付与し、そうでないものにそれぞれ異なる表示名称を付与する構成を有する。この構成により、同じ住所で、かつ、ある一定範囲内のものにのみ、共通の表示名称が付与されることになり、より区別を明確にすることができるという作用を有する。
【００１７】
また、本発明のデータ検索表示装置は、目的物の住所が、都道府県名、市区町村名、大字、小字、丁目、番地の階層構造をなすデータで構成され、統合手段が、これらの階層の全てにおいて一致する場合に共通の表示名称を付与する構成を有する。この構成により、統合手段が、都道府県名、市区町村名、大字、小字、丁目、番地の各階層において、全て一致するときに、住所が一致すると判断し、共通の表示名称を付与するため、住所が異なるものに共通の表示名称を付与することがないという作用を有する。
【発明の効果】
【００１８】
本発明は、検索キーを入力する入力手段と、入力した検索キーを含む第１の情報と、その第１の情報に関係する第２の情報を含むデータを検索する検索手段と、検索された第２の情報において同一のものがあった場合、それらの同一のものに対応する第１の情報に共通の表示情報を付与し、異なるものにはそれぞれの異なる表示情報を付与する統合手段と、統合手段によって付与された表示情報をそれぞれ１つづつ検索結果として表示する表示手段とを備えたものであり、入力した検索キーを含む第１の情報が多数検索された場合でも、第２の情報に同一のものがある場合、これらに共通の表示情報が付与され、それが表示部に表示されるため、検索結果として一覧表示されるリストの数を減らすことができ、リストの中からそれを選択する場合、その負担を少なくすることができるという効果を有する。
【発明を実施するための最良の形態】
【００１９】
図１は、本発明の一実施の形態におけるデータ検索表示装置の概略構成を示すブロック図である。図１において、データ検索表示装置は、ナビゲーション装置１０６とデータ検索装置１０７とから構成されている。ナビゲーション装置１０６は、ジャイロスコープ、距離センサ、ＧＰＳ受信機などからの信号を基に、車両の現在位置を測定する位置検出部１０１と、地図データやマップマッチング用データ、施設情報などを記録したデータベースとしての外部記憶装置１０２と、タッチパネルやリモコン装置、リモコン受信部などで構成されたナビゲーション装置を操作するための操作部１０３と、操作部１０３を用いて目的地を設定し、現在位置から目的地までの最適経路を自動的に設定する機能や、現在位置を地図上に位置づけるマップマッチング機能や目的地を設定するための施設等を検索する機能等を有し、これらの機能を実現するためのプログラムやＣＰＵ、ＲＯＭ、ＲＡＭ、Ｉ／Ｏ、および、これらを接続するバスなどを備えたナビゲーション機能部１０４と、液晶ディスプレイなどで構成され、ナビゲーション機能部１０４からの地図情報や文字情報や画像情報などを表示するための表示部１０５とを備えている。
【００２０】
そして、データ検索装置１０７は、検索条件やデータ検索装置１０７の制御コマンドなどを入力したり、検索結果を出力したり、データベースへのアクセスを行ったりするためのＩＦ部１０８と、入力された検索条件にしたがってデータベースの検索処理を行い、検索候補を出力する検索処理部１０９と、検索結果を記憶する記憶部１１０と、記憶部１１０に記憶されている検索結果において、目的物の名称と住所のデータより目的物の名称が
部分的に一致し、かつ、同一の住所である場合に、それらの名称に一つの表示用名称を付与し、そうでない場合に、それぞれ異なる表示用名称を付与する統合部１１１と、データ検索装置１０７全体の動作を制御する制御部１１２とを備えている。
【００２１】
次に、本実施の形態におけるデータ検索表示装置について、その動作を説明する。
【００２２】
図２は、本発明の一実施の形態におけるデータ検索表示装置において、５０音入力などを用いて施設、その他の目的物を検索する場合の動作を示すフロー図である。
【００２３】
図２に示すように、施設、その他の目的物を検索するためのキーを入力すると（Ｓ２０１）、表示部１０５に、図３に示すように、検索キーを入力するための表示画面が表示される。したがって、ここで、この画面を用いて、必要な検索キーを入力していく。例えば、図３に示す表示画面が表示された段階で、リモコン装置などを用いて、目的地の入力欄を選択すると、次に、図４に示すような、ソフトウェアキーボードが表示部１０５に表示され、ここで、文字を入力することができるようになる。
【００２４】
したがって、ここで、表示されたソフトウェアキーボードを用いて、任意に希望する文字を選択押圧し、施設、その他の目的物を入力する。入力された施設、その他の目的物は、検索キーとして、ＩＦ部１０８に加えられ、ＩＦ部１０８を介してデータ検索装置１０７に入力される。
【００２５】
検索処理部１０９は、入力された検索キーを用いて、ＩＦ部１０８を介して外部記憶装置１０２内のデータを検索し（ステップＳ２０２）、検索キーと一部一致するデータを目的物候補リストとして記憶部１１０に格納する（ステップＳ２０３）。
【００２６】
例えば、図３において、目的物として「○○電器」を入力したとき、外部記憶装置１０２に、「○○電器」のほかに、「○○電器ＸＸ部ＸＸ課」「○○電器ＸＸ部ＹＹ課」「○○電器ＹＹ部ＹＹ課」「○○電器ＫＫ部ＫＫ課」「○○電器ＫＫ部ＮＮ課」などが格納されていた場合、これらが全て、図５（ａ）に示すように、目的物候補リストとして検索され、記憶部１１０に記憶される。
【００２７】
ところで、この場合、目的物候補リストとして検索され、記憶部１１０に記憶された目的物は、名称が部分的に検索キーと一致し、かつ、住所が同一、或いは、異なるものを含んでいる。したがって、ここで、統合部１１１は、住所が同一のものに対しては、一つの表示用名称を付与し、異なるものに対しては、それぞれ異なる表示用名称を付与するために、表示名称付与テーブルを作成し（ステップＳ２０４）、記憶部１１０に格納する。
【００２８】
図５（ｂ）は、統合部１１１によって作成された表示名称付与テーブルの一例を示している。図５（ｂ）より明らかなように、この例では、住所が同一のもの（図３において、ＩＤが１〜４のもの）に対しては、「○○電器（横浜）」、異なるもの（図３において、ＩＤが５のもの）に対しては、「○○電器（横須賀）」という表示名称を付与するようにしている。
【００２９】
ところで、図５（ａ）に示す目的物候補リストの「対応ＩＤ」と、図５（ｂ）に示す表示名称付与テーブルの「対応ＩＤ」は、目的物候補リストと表示名称付与テーブルとの対応を示すＩＤであり、統合部１１１にて付与される情報である。さらに、住所データは、都道府県名＋市区町村名＋地番というように階層構造を成している。本実施の形態では、統合部１１１において表示名称を付与する場合、この住所の階層構造を用いて付与するようにしている。
【００３０】
すなわち、目的物候補リストの住所を比較して、異なる文字列を切り出し、その切り出した文字列を検索キーとして入力した文字列と結合し、それを表示名称とするようにしている。したがって、表示名称付与テーブルの「表示名称」は、図５（ｂ）に示すように自動的に作成され、記憶部１１０に格納される（ステップＳ２０５）。
【００３１】
このようにして、統合部１１１によって表示名付与テーブルが作成され、記憶部１１０に記憶されると、その内容が、件数情報と共にＩＦ部１０８を介して表示部１０５に転送され、図６（ａ）に示すように表示部１０５で表示される（ステップＳ２０６）。
【００３２】
すなわち、表示部１０５に表示される目的物候補は、検索された目的物候補の全て（上記例では、５件）ではなく、統合部１１１によって付与された表示名称の数（上記例では、２件）だけになる。したがって、ユーザとしては、表示部１０５に表示された表示名称を基に、目的とする施設、その他の目的物を容易に見つけることができる。
【００３３】
そして、このようにして表示名称が表示されると、次に、その中から１つを選択し押圧操作する。すると、図６（ｂ）に示すように、その表示名称の周辺の地図、および、詳細データがそれぞれ表示部１０５に表示される。
【００３４】
ここで、図６（ｂ）は、図６（ａ）において、「○○電器（横浜市）」を選択した場合の表示例であり、この場合には、当該地点の周辺地図のほかに、詳細データとして、統合部１１１において同一の表示名称を付与した施設の件数（４件）と、それらの施設の名称をそれぞれ一覧表示している。
【００３５】
なお、一覧表示された施設名から一つを選択することにより、その施設の電話番号やその他の情報を表示するように構成することも可能である。このようにすれば、目的の施設に行くに先立って、その位置を地図で確認できるだけでなく、相手と連絡をとってアポイントメントをとるのも容易であるという利点を有する。
【００３６】
以上説明したように、本実施の形態によれば、検索された施設や目的物の名称、住所などがそれぞれ一部で一致した場合、その一部で一致した施設や目的物について、それぞれ同一の表示名称を付与し、それらを検索結果として一覧表示するようにしており、一覧表示される表示名称が従来に比して少なくなり、ユーザとしてその中から目的の施設や目的物を容易に見つけることができるという効果を有する。
【００３７】
例えば、検索キーとして「○○×」という名称を入力し、その「○○×」という名称を含んで構成された「○○×△」や「○○××」という名称を持つ目的物が検索された場合、それらの住所又は位置が同一の場合、検索リストには「○○×」のみを表示する。したがって、一覧表示されるリストの数を減らすことができ、リストの中から希望する目的物を選択する負担が少なくなり、カーナビゲーション装置や、その他のナビゲーション装置、コンピュータ上で同長する汎用検索エンジン等において、目的物を検索表示する場合、非常に有用である。
【００３８】
なお、本実施の形態では、検索キーとして施設の名称を用いたが、ジャンルや住所、電話番号、郵便番号など、その他のものを検索キーとした場合も同様に使用することができる。
【００３９】
また、本実施の形態では、目的物の住所が一致した場合、共通の表示名称を付与するようにしただけであるが、目的物の地図上の位置情報が一致した場合に共通の表示名称を付与するようにしてもよく、また、地図上の位置情報が予め定めた一定範囲内にあるとき、共通の表示名称を付与するようにしても良い。このようにした場合には、それぞれの一致
条件で共通の表示名称が付与され、統合されるため、その統合された表示名称で目的の施設、その他、目的物を指定し、選択することができ、その選択が非常に楽になる。
【００４０】
また、本実施の形態では、目的物の名称を検索キーとして入力し、この検索キーを含むデータが複数検索されたときに、住所が一致するデータに共通の表示名称を付与する。そして、その場合、共通の表示名称を、入力した検索キーに住所が異なる住所の最上位の階層の住所を付加して共通の表示名称としているが、その他の方法で共通の表示名称を付与するようにしても良い。
【００４１】
すなわち、本実施の形態では、住所が一致する「○○電器ＸＸ部ＸＸ課」、「○○電器ＸＸ部ＹＹ課」、「○○電器ＹＹ部ＹＹ課」などに共通の表示名称を付与する場合、住所が異なる「○○電器ＫＫ部ＮＮ課」との間で、住所の異なる最上位階層の住所「横浜市」を、検索キーとして入力した「○○電器」の後に付与して共通の表示名称「○○電器（横浜市）」を得るようにし、住所の異なる「○○電器ＫＫ部ＮＮ課」にも、同じ階層の住所「横須賀市」を、検索キーとして入力した「○○電器」の後に付与して異なる表示名称「○○電器（横須賀市）」を得るようにしている。
【００４２】
このようにすれば、住所の比較において、統合部１１１で自動的に共通の表示名称、異なる表示名称を得ることが可能であるが、その他の方法で、予め共通の名称、異なる名称を付与しておき、それらを用いて統合部１１１で統合するようにしても良いことは言うまでもないことである。
【００４３】
また、本実施の形態では、名称の一部を検索キーとして住所が同一の場合、共通の表示名称を付与するものについて説明しているが、名称や住所は、その他の情報であってもよく、要は、互いに関係する第１、第２の情報であれば、同様に適用することができる。すなわち、第１の情報が検索キーを含み、第２の情報が第１の情報に関係するものであれば、例えば、住所が第１の情報、名称が第２の情報であっても、同様に適用することが可能であり、本発明は、名称、住所に限らず、多くの関係する情報に適用することができる。
【００４４】
また、本実施の形態では、データ検索表示装置が、ナビゲーション装置とデータ検索装置とで構成された場合で説明したが、本発明はこれに限定されることなく、ナビゲーション装置以外の装置と機能を一部共用してもよいし、データ検索表示装置として専用の装置を構成してもよい。
【産業上の利用可能性】
【００４５】
以上のように、本発明にかかるデータ検索表示装置は、検索キーを入力する入力手段と、入力した検索キーを含む第１の情報と、その第１の情報に関係する第２の情報を含むデータを検索する検索手段と、検索された第２の情報において同一のものがあった場合、それらの同一のものに対応する第１の情報に共通の表示情報を付与し、異なるものにはそれぞれの異なる表示情報を付与する統合手段と、前記統合手段によって付与された表示情報をそれぞれ１つづつ検索結果として表示する表示手段とを備えたものであり、入力した検索キーを含む第１の情報が多数検索された場合でも、第２の情報に同一のものがある場合、これらに共通の表示情報が付与され、それが表示部に表示されるため、検索結果として一覧表示されるリストの数を減らすことができ、リストの中からそれを選択する場合、その負担を少なくすることができるという効果を有し、例えば、会社、事務所、官公庁、その他の施設、目的物などの住所、地図などを検索するナビゲーション装置等や、更に、ナビゲーション装置以外でも、例えば、コンピュータ上で同長する汎用の検索エンジン等としても有用である。
【図面の簡単な説明】
【００４６】
【図１】本発明の一実施の形態におけるデータ検索表示装置の概略構成を示すブロック図
【図２】本発明の一実施の形態におけるデータ検索表示装置の動作を説明のためのフロー図
【図３】本発明の一実施の形態におけるデータ検索表示装置において、検索条件を入力するための表示画面の一例を示す図
【図４】本発明の一実施の形態におけるデータ検索表示装置において、検索条件を入力するためのソフトウェアキーボードの一例を示す図
【図５】（ａ）本発明の一実施の形態におけるデータ検索表示装置において、記憶部に記憶された目的物候補リストの一例を示す模式図（ｂ）表示名称付与テーブルの一例を示す模式図
【図６】（ａ）本発明の一実施の形態におけるデータ検索表示装置において、検索結果の第１の表示例を示す図（ｂ）同第２の表示例を示す図
【符号の説明】
【００４７】
１０１  位置検出部
１０２  外部記憶装置
１０３  操作部
１０４  ナビゲーション機能部
１０５  表示部
１０６  ナビゲーション装置
１０７  データ検索装置
１０８  ＩＦ部
１０９  検索処理部
１１０  記憶部
１１１  統合部
１１２  制御部
【図１】
2005190334.tif 000003
【図２】
2005190334.tif 000004
【図３】
2005190334.tif 000005
【図４】
2005190334.tif 000006
【図５】
2005190334.tif 000007
【図６】
2005190334.tif 000008